(57)【要約】【課題】薬剤登録を簡素化することが可能な薬剤登録装置およびプログラムを提供する。【解決手段】薬剤登録装置は、選択手段と、登録手段と、表示制御手段と、印字制御手段と、を備える。前記選択手段は、複数の薬剤を組にした薬剤セットの各々から、使用された薬剤セットの選択を受け付ける。前記登録手段は、前記選択手段が選択した前記薬剤セットに含まれる薬剤の各々を記憶部に登録する。前記表示制御手段は、前記記憶部に登録された薬剤を表示部に表示させる。前記印字制御手段は、前記記憶部に登録された薬剤を印字部に印字させる。【選択図】図１
2015149003.tif 000002
【特許請求の範囲】
【請求項１】
複数の薬剤を組にした薬剤セットの各々から、使用された薬剤セットの選択を受け付ける選択手段と、
前記選択手段が選択した前記薬剤セットに含まれる薬剤の各々を記憶部に登録する登録手段と、
前記記憶部に登録された薬剤を表示部に表示させる表示制御手段と、
前記記憶部に登録された薬剤を印字部に印字させる印字制御手段と、
を備えた薬剤登録装置。
【請求項２】
前記表示制御手段は、前記薬剤セットに含まれる薬剤を強調して表示させる、
請求項１に記載の薬剤登録装置。
【請求項３】
前記印字制御手段は、前記薬剤セットに含まれる薬剤を、当該薬剤セット毎に区分けして印字させる、
請求項１又は２に記載の薬剤登録装置。
【請求項４】
前記印字制御手段は、前記薬剤セットが使用されたことを確認する欄を印字する、
請求項１〜３の何れか一項に記載の薬剤登録装置。
【請求項５】
前記選択手段は、前記薬剤セットの各々を前記表示部に選択可能に表示する、
請求項１〜４の何れか一項に記載の薬剤登録装置。
【請求項６】
コンピュータを
複数の薬剤を組にした薬剤セットの各々から、使用された薬剤セットの選択を受け付ける選択手段と、
前記選択手段が選択した前記薬剤セットに含まれる薬剤の各々を記憶部に登録する登録手段と、
前記記憶部に登録された薬剤を表示部に表示させる表示制御手段と、
前記記憶部に登録された薬剤を印字部に印字させる印字制御手段と、
として機能させるプログラム。
【発明の詳細な説明】
【技術分野】
【０００１】
本発明の実施形態は、薬剤登録装置およびプログラムに関する。
【背景技術】
【０００２】
従来、薬剤の取り違い等の過誤の発生を防止するために幾つかのシステムが提案されている。例えば、特許文献１記載のシステムにおいては、投薬しようとしている薬剤の容器に付されたバーコードで特定される薬剤情報と、投薬すべき薬剤の情報とを照合し、薬剤の誤使用を防止している。
【０００３】
一方、使用した薬剤の登録においては、看護師が、手術等で使用された薬剤の空容器を集め、使用薬剤についての集計結果を伝票に手作業で記入した後、伝票を医事課へ提出する作業を行っていた。そこで、使用した薬剤の集計作業時においても、薬剤に付されたバーコードを用いて登録を行う装置を導入する方策が考えられる。
【０００４】
しかしながら、手術等で使用される薬剤は、膨大な数となる場合があり、全ての薬剤をバーコードを用いて登録するには膨大な時間がかかることが予想される。
【発明の概要】
【発明が解決しようとする課題】
【０００５】
本発明が解決しようとする課題は、薬剤登録を簡素化することが可能な薬剤登録装置およびプログラムを提供することである。
【課題を解決するための手段】
【０００６】
実施形態の薬剤登録装置は、選択手段と、登録手段と、表示制御手段と、印字制御手段と、を備える。前記選択手段は、複数の薬剤を組にした薬剤セットの各々から、使用された薬剤セットの選択を受け付ける。前記登録手段は、前記選択手段が選択した前記薬剤セットに含まれる薬剤の各々を記憶部に登録する。前記表示制御手段は、前記記憶部に登録された薬剤を表示部に表示させる。前記印字制御手段は、前記記憶部に登録された薬剤を印字部に印字させる。
【図面の簡単な説明】
【０００７】
【図１】図１は、実施形態にかかる薬剤管理システムの概要構成を示すブロック図である。
【図２】図２は、薬剤登録装置の外観を示す正面図である。
【図３】図３は、薬剤登録装置のハードウェア構成を示すブロック図である。
【図４】図４は、薬剤登録装置の機能構成を示すブロック図である。
【図５】図５は、使用薬剤登録処理の流れを示すフローチャートである。
【図６】図６は、ログイン画面の一例を示す説明図である。
【図７】図７は、患者登録画面の一例を示す説明図である。
【図８】図８は、薬剤登録開始画面の一例を示す説明図である。
【図９】図９は、手入力画面の一例を示す説明図である。
【図１０】図１０は、プリセット画面の一例を示す説明図である。
【図１１】図１１は、薬剤登録画面の一例を示す説明図である。
【図１２】図１２は、薬剤登録画面の一例を示す説明図である。
【図１３】図１３は、薬剤の使用品伝票を示す正面図である。
【発明を実施するための形態】
【０００８】
図１は、実施形態にかかる薬剤管理システム１０の概要構成を示すブロック図である。図１に示すように、薬剤管理システム１０は、電子カルテサーバ１１と、医師用の情報処理端末装置１２と、看護師用の情報処理端末装置１３と、薬剤監査装置１４と、無線基地局１５及び公衆通信ネットワーク１６を介して通信ネットワーク１７に接続された医師用の携帯情報処理端末装置１８と、薬剤部サーバ１９と、薬剤登録装置２０と、を備えている。
【０００９】
電子カルテサーバ１１は、電子カルテを管理し、記憶するための装置である。医師用の情報処理端末装置１２は、電子カルテの記入などを行うための装置である。看護師用の情報処理端末装置１３は、電子カルテサーバ１１が管理する電子カルテの参照及び確認を行うための装置である。薬剤監査装置１４は、電子カルテに含まれる指示書情報（例えば、処方箋情報）に基づいて薬剤の取揃え等の支援および監査を行うための装置である。薬剤部サーバ１９は、薬剤部に配置され薬剤払出等を管理するための装置である。また、薬剤部サーバ１９は、薬剤のコード情報または薬剤の外面情報（薬剤のラベルを表す特徴量、薬剤の色合いや表面の凹凸状況等の表面の状態を表す特徴量など）に対応付けて薬剤に係る薬剤情報（名称、量など）を登録している。薬剤登録装置２０は、手術室に配置され、看護師によって手術中に使用された薬剤、あるいは救急の場などにおいて看護師や薬剤師等によって緊急的に使用された薬剤の登録支援を行うための装置である。本実施形態において、薬剤データ入力装置である薬剤登録装置２０は、手術室に配置されるものであって、看護師によって手術中に使用された薬剤の登録支援に用いられることを想定する。
【００１０】
上記構成において、電子カルテサーバ１１、情報処理端末装置１２、情報処理端末装置１３、薬剤監査装置１４、薬剤部サーバ１９及び薬剤登録装置２０は、通信ネットワーク１７に接続されている。
【００１１】
図２は、薬剤登録装置２０の外観を示す正面図である。図２に示すように、薬剤登録装置２０は、大別すると、薬剤登録装置２０の制御主体となる装置本体部２４と、スキャナ２２と、各種情報をプリントアウトするためのプリンタ２３とを備えている。
【００１２】
装置本体部２４は、オペレータとなる看護師が各種操作を行うとともに、使用された薬剤のリスト等の各種情報を表示可能なタッチパネルディスプレイ２１を備えている。
【００１３】
スキャナ２２は、カラーＣＣＤ（Charge  Coupled  Device）イメージセンサやカラーＣＭＯＳ（Complementary  Metal-Oxide  Semiconductor）イメージセンサ等のイメージセンサとＬＥＤ（Light  Emitting  Diode）などの光源とを有している。スキャナ２２は、看護師ＩＤ（IDentification）のコードシンボル、患者ＩＤのコードシンボル、薬剤のコードシンボル、薬剤の画像などの撮像を行う。スキャナ２２が所定のフレームレートで順次撮像したフレーム画像（撮像画像）は、後述するＲＡＭ（Random  Access  Memory）３３（図３参照）に保存される。
【００１４】
なお、スキャナ２２は、図２に示すようなテーブル上に載置する形状に限るものではなく、床上に立設させるスタンド形状であってもよい。
【００１５】
また、薬剤登録装置２０は、薬剤の重量を測定する秤や、薬剤に付されたＲＦＩＤ（Radio  Frequency  IDentification）との間でデータの読取り／書込みを行うＲＦＩＤリーダライタ等を備えていてもよい。
【００１６】
図３は、薬剤登録装置２０のハードウェア構成を示すブロック図である。図３に示すように、薬剤登録装置２０は、装置全体を制御するＭＰＵ（Micro  Processing  Unit）３１と、ＲＯＭ（Read  Only  Memory）３２と、ＲＡＭ３３と、外部記憶装置３４と、通信インタフェース動作を行う通信インタフェース（Ｉ／Ｆ）３８とを装置本体部２４に備えている。ＲＯＭ３２は、制御プログラムを含む各種データを不揮発的に記憶する。ＲＡＭ３３は、ワークエリアとして機能するとともに、各種データを一時的に記憶する。外部記憶装置３４は、データベース等の大容量データや制御プログラムを記憶可能なハードディスクドライブ、ＳＳＤ（Solid  State  Drive）によって構成されている。
【００１７】
ここで、タッチパネルディスプレイ２１、スキャナ２２、プリンタ２３、スピーカ３７及び通信インタフェース３８は、入出力Ｉ／Ｏ３９を介してバス４０に接続されている。このバス４０には、ＭＰＵ３１、ＲＯＭ３２、ＲＡＭ３３及び外部記憶装置３４が接続されている。スピーカ３７は、警告音を発する場合などに使用される。
【００１８】
なお、タッチパネルディスプレイ２１は、表示部であるディスプレイ３５及びタッチパネル３６を主体に構成されている。
【００１９】
また、記憶部である外部記憶装置３４は、使用薬剤記憶テーブルＴと、薬剤マスタＤＢ１と、プリセット薬剤マスタＤＢ２とを備える。使用薬剤記憶テーブルＴは、使用された薬剤についての集計結果を記憶する。薬剤マスタＤＢ１は、コード情報と、薬剤名称と、薬剤情報とを関連付けて記憶する。コード情報は、薬剤を識別するための識別子である。例えば、コード情報とは、バーコードに付されている番号である。
【００２０】
薬剤情報とは、薬剤の情報である。薬剤情報とは、例えば、形状、製薬会社、成分、効能効果、用法用量、対象疾患名、剤形、禁忌薬剤などの情報ある。形状とは、アンプルやバイアルなどの容器の形状を示す。製薬会社とは、薬剤を製造した企業を示す。成分とは、薬剤の効力をもつ成分を示す。効能効果とは、薬剤を使用したことにより得られる効果を示す。用法用量とは、薬剤の使用方法を示す。対象疾患名とは、薬剤が治療の対象としている疾患名を示す。剤形とは、錠剤、散剤、カプセル、注射剤などの目的や用途により加工された薬剤の形状を示す。禁忌薬剤とは、併用すると危険をもたらす薬剤を示す。
【００２１】
プリセット薬剤マスタＤＢ２は、事前に設定された薬剤のセットである。ここで、薬剤セットについて説明を行う。薬剤には、頻繁に使用される定番の組合せがある。薬剤の組合せとは、例えば、特定の手術の場合に使用される薬剤のセットや、特定の病気の場合に使用される薬剤のセットや、薬剤の特性に合せて使用する薬剤のセットなどである。
【００２２】
プリセット薬剤マスタＤＢ２は、これらの薬剤のセットを記憶している。よって、プリセット薬剤マスタＤＢ２は、薬剤セット識別情報と、薬剤セット名称と、薬剤のコード情報とを記憶する。薬剤セット識別情報は、薬剤セットを識別する情報である。薬剤セット名称は、薬剤セットの名称である。薬剤のコード情報は、薬剤セットに含まれる薬剤のコード情報である。プリセット薬剤マスタＤＢ２は、薬剤セットであることから複数の薬剤のコード情報を記憶している。そして、コード情報は、前述の薬剤マスタＤＢ１のコード情報と同一となっている。よって、薬剤登録装置２０は、プリセット薬剤マスタＤＢ２に記憶されているコード情報から、薬剤マスタＤＢ１の該当する薬剤の薬剤情報にアクセスすることが可能となる。
【００２３】
このような構成により、薬剤登録装置２０のＭＰＵ３１は、ＲＯＭ３２や外部記憶装置３４に記憶された制御プログラムに従って動作することで、使用された薬剤の登録支援を行う。
【００２４】
次に、実施形態にかかる薬剤登録装置２０が有する特徴的な機能について説明する。図４は、薬剤登録装置２０の機能構成を示すブロック図である。ＭＰＵ３１は、ＲＯＭ３２や外部記憶装置３４に記憶された制御プログラムに従って動作することで、図４に示すように、読取手段３１１と、識別手段３１２と、選択手段３１３と、登録手段３１４と、表示制御手段３１５と、印字制御手段３１６と、して機能する。
【００２５】
読取手段３１１は、スキャナ２２がスキャンした撮像画像から、薬剤の識別子を読み取る。具体的には、読取手段３１１は、使用される薬剤に付されたコードシンボルのコード情報または使用される薬剤の全部または一部の外面情報を読み取る。バーコードや二次元コードなどのコードシンボルからコード情報を検出する処理については、従来からある技術なのでここでの説明は省略する。
【００２６】
識別手段３１２は、読取手段３１１による読み取り結果として得られた情報（コード情報または外面情報）に基づいて薬剤を識別して薬剤情報を抽出する。また、薬剤の外面情報に基づいて薬剤を識別する方法は、予めコード情報に対応付けて薬剤の外面情報をテーブルとして記憶しておき、外面情報に基づく薬剤の薬剤情報をテーブルから抽出するようにすればよい。
【００２７】
選択手段３１３は、後述する表示制御手段３１５と協働することで、複数の薬剤を組にした薬剤セットの各々から、使用された薬剤セットの選択を受け付ける。具体的には、選択手段３１３は、プリセット薬剤マスタＤＢ２に事前に登録されている薬剤セットをタッチパネルディスプレイ２１に表示させることにより薬剤セットを選択させる。そして、選択手段３１３は、薬剤セット識別情報を後述する登録手段３１４に通知する。
【００２８】
登録手段３１４は、識別手段３１２で識別された薬剤を外部記憶装置３４の使用薬剤記憶テーブルＴに登録する。また、登録手段３１４は、選択手段３１３が選択した薬剤セットに含まれる薬剤の各々を使用薬剤記憶テーブルＴに登録する。具体的には、登録手段３１４は、選択手段３１３により選択された薬剤セット識別情報を用いてプリセット薬剤マスタＤＢ２を検索する。そして、登録手段３１４は、該当する薬剤セット識別情報に関連付けられている薬剤の識別情報を用いて使用薬剤記憶テーブルＴに登録する。
【００２９】
表示制御手段３１５は、使用薬剤記憶テーブルＴに登録された薬剤を表示部であるタッチパネルディスプレイ２１に表示させる制御を行う。また、表示制御手段３１５は、選択手段３１３によって選択された薬剤セットに設定されていた薬剤を表示する場合には、当該薬剤を強調して表示する。選択手段３１３によって選択された薬剤セットを用いて薬剤を登録する手法は、目視確認によって登録する手法である。一方、スキャナ２２を用いて薬剤を登録する手法は、使用された薬剤をスキャナ２２によって登録する手法である。すなわち、薬剤セットを用いて薬剤を登録する手法は、スキャナ２２を用いて登録する方法と比べてミスが介在する可能性が高い。よって、薬剤セットを用いて登録された薬剤を強調表示することにより、間違いが起こる可能性を低減させることができる。
【００３０】
印字制御手段３１６は、使用薬剤記憶テーブルＴに登録された薬剤を印字部であるプリンタ２３に印字させる制御を行う。また、印字制御手段３１６は、選択手段３１３によって選択された薬剤セットに設定されていた薬剤を印字する場合に、確認欄を印字する。確認欄は、選択された薬剤セットが使用されたことを確認する欄と、選択された薬剤セットに事前に設定されている個々の薬剤が使用されたことを確認する欄との少なくとも何れか一方を印字する。オペレータ（看護師）は、各確認欄にチェックしながら確認作業を行うことにより間違いが起こる可能性を低減させることができる。
【００３１】
さらに、印字制御手段３１６は、選択手段３１３によって選択された薬剤セットに設定されていた薬剤を印字する場合に、使用されたことを確認し、承認する欄を印字する。承認欄は、登録作業を行ったオペレータ（看護師）がサインしてもよいし、上司などの第三者がサインしてもよい。
【００３２】
次に、上述した実施形態にかかる薬剤登録装置２０のＭＰＵ３１が制御プログラムに従って実行する使用薬剤登録処理について説明する。実施形態にかかる薬剤登録装置２０は、使用された薬剤のコードシンボルや薬剤の画像などをスキャンし、薬剤登録処理を実行する。
【００３３】
図５は、薬剤登録装置２０のＭＰＵ３１が制御プログラムに従って実行する使用薬剤登録処理の流れを示すフローチャートである。図５に示すように、薬剤登録装置２０のＭＰＵ３１は、初期状態として、ディスプレイ３５にログイン画面Ｇ１を表示する（ステップＳ１）。薬剤登録装置２０の操作が許可されている各オペレータ（看護師）は、ＩＤカードを有し、ＩＤカードの認証により薬剤登録装置２０の操作が可能になるものとする。
【００３４】
図６は、ログイン画面Ｇ１の一例を示す説明図である。ログイン画面Ｇ１には、図６に示すように、「ＩＤカードを読み取らせてください。」というガイドコメントが表示される。また、ログイン画面Ｇ１は、ＩＤカードに付されている看護師ＩＤのコードシンボルをスキャナ２２に読み込ませることを促すガイド画像を表示する。
【００３５】
したがって、オペレータ（看護師）は、ログイン処理を行うために、自己のＩＤカードに付された看護師ＩＤのコードシンボルをスキャナ２２の前にかざして、看護師ＩＤを読み込ませる。
【００３６】
薬剤登録装置２０のＭＰＵ３１は、ログイン処理により看護師ＩＤを認証すると（ステップＳ２；Ｙｅｓ）、ディスプレイ３５の表示画面に患者登録画面Ｇ２を表示する（ステップＳ３）。なお、薬剤登録装置２０のＭＰＵ３１は、看護師ＩＤが認証できない場合に（ステップＳ２；Ｎｏ）、ステップＳ１に戻り、ログイン画面Ｇ１を再度表示する。
【００３７】
図７は、患者登録画面Ｇ２の一例を示す説明図である。患者登録画面Ｇ２には、図７に示すように、「患者ＩＤを読み取らせてください。」というガイドコメントが表示される。また、患者登録画面Ｇ２は、患者のリストバンドに付されている患者ＩＤのコードシンボルをスキャナ２２に読み込ませることを促すガイド画像を表示する。
【００３８】
したがって、オペレータ（看護師）は、患者登録処理を行うために、患者のリストバンドに付されている患者ＩＤのコードシンボルをスキャナ２２の前にかざして、患者ＩＤを読み込ませる。
【００３９】
薬剤登録装置２０のＭＰＵ３１は、患者登録処理により患者ＩＤを登録すると（ステップＳ４；Ｙｅｓ）、ディスプレイ３５の表示画面に薬剤登録開始画面Ｇ３を表示させる（ステップＳ５）。なお、薬剤登録装置２０のＭＰＵ３１は、患者ＩＤが登録できない場合に（ステップＳ４；Ｎｏ）、ステップＳ３に戻り、患者登録画面Ｇ２を再度表示する。
【００４０】
ここで、図８は、薬剤登録開始画面Ｇ３の一例を示す説明図である。薬剤登録開始画面Ｇ３は、図８に示すように、薬剤のコードシンボルの読み取らせ方が表示される。また、薬剤登録開始画面Ｇ３は、手入力ボタンＢ１を備えている。手入力ボタンＢ１は、薬剤のコードシンボルに付されているコード番号を手入力で登録する場合に押下するボタンである。手入力でコード番号を入力する場合とは、例えば、薬剤に付されているコードシンボルに汚れや欠損がある薬剤登録装置２０にコードシンボルを読み取らせることができない場合や、事前に登録された薬剤セットを入力する場合などである。この場合などに、手入力ボタンＢ１は押下される。
【００４１】
薬剤登録装置２０のＭＰＵ３１は、手入力ボタンＢ１の押下を検出するか否か判定する（ステップＳ６）。手入力ボタンＢ１の押下を検出しない場合に（ステップＳ６；Ｎｏ）、薬剤登録装置２０のＭＰＵ３１は、コードシンボルを検出するか否かを判定する（ステップＳ７）。コードシンボルを検出した場合に（ステップＳ７；Ｙｅｓ）、薬剤登録装置２０のＭＰＵ３１は、コードシンボルから読み取った識別情報を有する薬剤を使用薬剤記憶テーブルＴに登録する（ステップＳ８）。コードシンボルを検出しない場合に（ステップＳ７；Ｎｏ）、薬剤登録装置２０のＭＰＵ３１は、ステップＳ６に戻る。
【００４２】
手入力ボタンＢ１の押下を検出した場合に（ステップＳ６；Ｙｅｓ）、薬剤登録装置２０のＭＰＵ３１は、手入力画面Ｇ４を表示させる（ステップＳ９）。ここで、図９は、手入力画面Ｇ４の一例を示す説明図である。手入力画面Ｇ４は、薬剤に付されているコード番号を手入力にて入力する画面である。
【００４３】
手入力画面Ｇ４は、大別すると、表題表示領域Ｒ１と、薬剤コード入力領域Ｒ２と、ボタン表示領域Ｒ３とを備える。表題表示領域Ｒ１は、手入力画面Ｇ４の表題を表示する領域である。
【００４４】
薬剤コード入力領域Ｒ２は、薬剤に付されているコードシンボルに印字された番号を入力することで薬剤のコード情報を入力する領域である。よって、薬剤コード入力領域Ｒ２は、「薬剤についているコードシンボルの番号を入力してください。」とのメッセージを表示して薬剤番号（コード情報）の入力を求める。薬剤コード入力領域Ｒ２は、置数ボタンと、１文字削除ボタンと、検索ボタンと、薬剤番号入力欄とを備える。オペレータ（看護師）は、置数ボタンと、１文字削除ボタンとを用いて薬剤番号入力欄に薬剤番号を入力する。オペレータ（看護師）は、薬剤番号入力欄に入力した薬剤番号を有する薬剤を検索する場合に検索ボタンを押下する。
【００４５】
ボタン表示領域Ｒ３は、各種ボタンを表示する領域である。ボタン表示領域Ｒ３は、キャンセルボタンＢ２と、プリセットボタンＢ３と、確定ボタンＢ４とを備える。キャンセルボタンＢ２は、薬剤コードの手入力をキャンセルする場合に押下するボタンである。プリセットボタンＢ３は、事前に設定された薬剤セットを登録する場合に押下するボタンである。確定ボタンＢ４は、手入力で入力された薬剤番号を有する薬剤の登録を確定する場合に押下するボタンである。
【００４６】
薬剤登録装置２０のＭＰＵ３１は、手入力画面Ｇ４のキャンセルボタンＢ２の押下を検出するか否かを判定する（ステップＳ１０）。キャンセルボタンＢ２の押下を検出した場合に（ステップＳ１０；Ｙｅｓ）、薬剤登録装置２０のＭＰＵ３１は、手入力画面Ｇ４を消してステップＳ６に戻す。
【００４７】
キャンセルボタンＢ２の押下を検出しない場合に（ステップＳ１０；Ｎｏ）、薬剤登録装置２０のＭＰＵ３１は、プリセットボタンＢ３の押下を検出するか否かを判定する（ステップＳ１１）。プリセットボタンＢ３の押下を検出しない場合に（ステップＳ１１；Ｎｏ）、薬剤登録装置２０のＭＰＵ３１は、確定ボタンＢ４の押下を検出するか否かを判定する（ステップＳ１２）。
【００４８】
確定ボタンＢ４の押下を検出した場合に（ステップＳ１２；Ｙｅｓ）、薬剤登録装置２０のＭＰＵ３１は、手入力で入力された薬剤番号を有する薬剤を使用薬剤記憶テーブルＴに登録する（ステップＳ８）。一方、確定ボタンＢ４の押下を検出しない場合に（ステップＳ１２；Ｎｏ）、薬剤登録装置２０のＭＰＵ３１は、ステップＳ１０に戻る。
【００４９】
薬剤登録装置２０のＭＰＵ３１は、手入力画面Ｇ４のプリセットボタンＢ３の押下を検出した場合に（ステップＳ１１；Ｙｅｓ）、薬剤登録装置２０のＭＰＵ３１は、プリセット画面Ｇ５を表示させる（ステップＳ１３）。ここで、図１０は、プリセット画面Ｇ５の一例を示す説明図である。プリセット画面Ｇ５は、事前に設定された薬剤セットを選択可能に表示する画面であり、選択された薬剤セットに含まれる薬剤の各々が登録される。
【００５０】
プリセット画面Ｇ５は、戻るボタンＢ５と、薬剤セットボタンＢ６とを備える。戻るボタンＢ５は、プリセット画面Ｇ５を表示する前の手入力画面Ｇ４に戻す場合に押下するボタンである。薬剤セットボタンＢ６は、事前に設定された薬剤セットを登録する場合に押下するボタンである。薬剤セットボタンＢ６は、それぞれ薬剤セット名称を表示することで内容や、用途を認識できるようにしている。薬剤セットボタンＢ６には、対応する薬剤セットの薬剤セット識別情報が設定されている。これにより、薬剤登録装置２０のＭＰＵ３１は、プリセット薬剤マスタＤＢ２を参照することで、薬剤セットボタンＢ６に対応している薬剤セット名称の表示や、薬剤セット識別情報に関連付けられている薬剤の登録が可能となる。なお、薬剤セットボタンＢ６は、図１０に示された数に限らない。
【００５１】
次いで、薬剤登録装置２０のＭＰＵ３１は、プリセット画面Ｇ５の戻るボタンＢ５の押下を検出するか否かを判定する（ステップＳ１４）。戻るボタンＢ５の押下を検出した場合に（ステップＳ１４；Ｙｅｓ）、薬剤登録装置２０のＭＰＵ３１は、ステップＳ９に戻して手入力画面Ｇ４を表示させる。
【００５２】
一方、プリセット画面Ｇ５の戻るボタンＢ５の押下を検出しない場合に（ステップＳ１４；Ｎｏ）、薬剤登録装置２０のＭＰＵ３１は、薬剤セットボタンＢ６の押下を検出するか否かを判定する（ステップＳ１５）。薬剤セットボタンＢ６の押下を検出しない場合に（ステップＳ１５；Ｎｏ）、薬剤登録装置２０のＭＰＵ３１は、ステップＳ１４に戻る。
【００５３】
一方、薬剤セットボタンＢ６の押下を検出した場合に（ステップＳ１５；Ｙｅｓ）、薬剤登録装置２０のＭＰＵ３１は、プリセット薬剤マスタＤＢ２を参照して、当該薬剤セットボタンＢ６に設定された薬剤セット識別情報に関連付けられた薬剤を使用薬剤記憶テーブルＴに登録する（ステップＳ８）。
【００５４】
次いで、薬剤登録装置２０のＭＰＵ３１は、薬剤登録画面Ｇ６を表示する（ステップＳ１６）。薬剤登録画面Ｇ６は、登録された薬剤の一覧を表示する画面である。ここで、図１１は、薬剤登録画面Ｇ６の一例を示す説明図である。薬剤登録画面Ｇ６は、薬剤一覧表示領域Ｒ４と、手入力ボタンＢ１と、印刷ボタンＢ７とを備える。
【００５５】
薬剤一覧表示領域Ｒ４は、薬剤名表示領域Ｒ４１と、数量表示領域Ｒ４２と、合計点数表示領域Ｒ４３とを備える。薬剤名表示領域Ｒ４１は、薬剤名称を表示する領域である。薬剤名表示領域Ｒ４１は、薬剤セットが登録された場合には、該当する薬剤セットが有している薬剤の名称を表示する。また、薬剤名表示領域Ｒ４１は、プリセットアイコンＭ１を備える。プリセットアイコンＭ１は、プリセット画面Ｇ５に備えられた薬剤セットボタンＢ６を用いて登録された薬剤であることを示すアイコンである。薬剤セットボタンＢ６を用いて登録された薬剤は、スキャナ２２を用いて登録された薬剤ではない。薬剤登録画面Ｇ６は、プリセットアイコンＭ１を表示することで注意を喚起することができる。
【００５６】
数量表示領域Ｒ４２は、薬剤名表示領域Ｒ４１に登録された薬剤の数量を表示する領域である。合計点数表示領域Ｒ４３は、登録された薬剤の合計数を表示する領域である。手入力ボタンＢ１は、前述の手入力ボタンＢ１と同じである。印刷ボタンＢ７は、使用薬剤記憶テーブルＴに登録された薬剤の伝票を印刷する場合に押下するボタンである。
【００５７】
また、注意を喚起する表示は、プリセットアイコンＭ１を表示することに限らない。薬剤セットボタンＢ６を用いて登録された薬剤は、図１２に示すように、枠線Ｍ２で囲い強調表示することにより注意を喚起してもよい。図１２は、薬剤を枠線Ｍ２で囲い強調表示した場合の薬剤登録画面Ｇ６の一例を示す説明図である。枠線Ｍ２は、着色され、より強調されている。さらに、図１２は、薬剤セットごとに枠線Ｍ２で囲う表示により薬剤セットを識別することを可能にしている。また、強調表示の方法は、枠線Ｍ２に限らない。強調表示の方法は、フォントを変える方法や、該当する薬剤の欄の色を変える方法などでもよい。
【００５８】
次いで、薬剤登録装置２０のＭＰＵ３１は、薬剤登録画面Ｇ６の印刷ボタンＢ７の押下を検出したか否かを判定する（ステップＳ１７）。印刷ボタンＢ７の押下を検出しない場合に（ステップＳ１７；Ｎｏ）、薬剤登録装置２０のＭＰＵ３１は、引き続き薬剤が登録されるとしてステップＳ６に戻す。一方、印刷ボタンＢ７の押下を検出した場合に（ステップＳ１７；Ｙｅｓ）、薬剤登録装置２０のＭＰＵ３１は、使用薬剤記憶テーブルＴに登録された薬剤の伝票を印刷して（ステップＳ１８）、薬剤登録処理を終了する。
【００５９】
ここで、図１３は、薬剤の使用品伝票Ｄを示す正面図である。使用品伝票Ｄは、図１３に示すように、使用薬剤記憶テーブルＴに登録された薬剤の一覧を印字した伝票である。使用品伝票Ｄは、大別すると、ヘッダ欄Ｄ１と、基本情報欄Ｄ２と、使用薬剤データ欄Ｄ３と、承認印欄Ｄ４とを備えている。ヘッダ欄Ｄ１は、伝票名称を印字する領域である。基本情報欄Ｄ２は、出力日時と、処置日時と、発行場所と、作業者とを印字する領域である。
【００６０】
使用薬剤データ欄Ｄ３は、Ｎｏ列と、薬品名列と、単位列と、本数列と、定数列と、を印字する列である。Ｎｏ列は、分類名と、項目Ｎｏとが印字される。分類名は、薬剤の分類の名称である。項目Ｎｏは、薬剤種別ごとに付与される一連の番号であって、分類名が異なる場合であっても一連の番号が継続して付与される。
【００６１】
プリセット画面Ｇ５に備えられた薬剤セットボタンＢ６を用いて登録された薬剤の場合には、分類名は、薬剤セットである旨を印字する。具体的には、プリセットと印字する。さらに、Ｎｏ列は、登録された薬剤セットの名称を印字する。図１３は、生理食塩水３セットと、ＸＹＺ注射液セットとが印字された場合を示している。
【００６２】
また、プリセット画面Ｇ５に備えられた薬剤セットボタンＢ６を用いて登録された薬剤の場合には、薬剤セットチェック欄Ｍ３と、薬剤チェック欄Ｍ４とが印字される。薬剤セットチェック欄Ｍ３と、薬剤チェック欄Ｍ４とは、印字されている薬剤セットおよび薬剤が使用されたことを確認した場合に、オペレータ（看護師）などがチェックを書き込む欄である。プリセット画面Ｇ５に備えられた薬剤セットボタンＢ６を用いて登録された薬剤は、スキャナ２２がコードシンボルを読み込むことで登録された薬剤ではない。よって、薬剤セットチェック欄Ｍ３と、薬剤チェック欄Ｍ４とを設けることで正確性を向上させることができる。薬剤セットチェック欄Ｍ３は、薬剤セットが有する全ての薬剤の使用を確認した場合にチェックを書き込む欄である。薬剤チェック欄Ｍ４は、薬剤セットが有する個々の薬剤の使用を確認した場合にチェックを書き込む欄である。図１３は、生理食塩水３セットについて使用が確認され、薬剤セットチェック欄Ｍ３と、薬剤チェック欄Ｍ４とにチェックが書き込まれている状態を示している。
【００６３】
薬品名列は、薬剤名と、薬剤のコード番号と、を印字する列である。薬剤名は、薬剤の名称が印字される。薬剤のコード番号は、薬剤のコードシンボルに付されている番号である。
【００６４】
図１３に示すように、単位列は、対象の薬剤の使用量の基準を印字する列である。本数列は、対象の薬剤が使用された量を印字する列である。定数列は、対象の薬剤が常備される量を印字する列である。
【００６５】
また、使用薬剤データ欄Ｄ３は、薬剤セットに含まれる薬剤を印字する場合には、図１３に示すように、薬剤セット毎に区分けして印字される。これにより、チェックする欄を探す手間を軽減することができる。図１３は、生理食塩水３セットと、ＸＹＺ注射液セットとで区分けされて印字された場合を示している。
【００６６】
承認印欄Ｄ４は、承認印を捺印する欄が印字される領域である。また、プリセット画面Ｇ５に備えられた薬剤セットボタンＢ６を用いて登録された薬剤の場合には、プリセット承認欄Ｍ５が印字される。プリセット承認欄Ｍ５は、薬剤セットが有する全ての薬剤が使用されたことを確認した場合に、承認者が署名または捺印をする欄である。プリセット承認欄Ｍ５を備えることで、さらに入念に確認されることから正確性を向上させることが可能となる。なお、薬剤セットチェック欄Ｍ３と、薬剤チェック欄Ｍ４と、プリセット承認欄Ｍ５とは、全てが印字されてもよいし、何れか一または二の欄のみが印字される形式であってもよい。
【００６７】
以上のように、本実施形態によれば複数の薬剤を組にした薬剤セットの各々から、使用された薬剤セットの選択を受け付ける識別手段３１２を備えている。識別手段３１２が選択した薬剤セットに含まれる薬剤の各々は、登録手段３１４によって使用薬剤記憶テーブルＴに登録される。そして、使用薬剤記憶テーブルＴに登録された薬剤は、表示制御手段３１５や印字制御手段３１６によって出力される。よって、薬剤登録を簡素化することが可能となる。
【００６８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００６９】
なお、上記実施形態では、オペレータは、看護師を想定して説明している。しかし、オペレータは、看護師以外であってもよい。例えば、医師や、薬剤師などであってもよい。または、会計担当者などの医療資格を有していない者であってもよい。
【００７０】
なお、上記実施形態では、薬剤登録画面Ｇ６の薬剤名表示領域Ｒ４１には、薬剤セットが登録された場合には、該当する薬剤セットが含んでいる薬剤の名称を表示すると説明している。しかし、薬剤名表示領域Ｒ４１の表示は、薬剤名称に限らない。例えば、薬剤名表示領域Ｒ４１には、薬剤セットの名称を表示してもよい。または、薬剤名称の横に、括弧書きなどの方法により薬剤セットの名称を併記してもよい。
【００７１】
なお、上記実施形態では、薬剤に付されたバーコードや二次元コードなどのコードシンボルからコード情報を読み取ると説明しているが、コード情報は、コードシンボル以外であってもよい。例えば、コード情報は、ＲＦＩＤなどからコード情報を読み取るとしてもよい。この場合には、ＲＦＩＤリーダライタ等を新たに備えればよい。
【００７２】
また、上記実施形態の各装置で実行されるプログラムは、各装置が備える記憶媒体（ＲＯＭ又は記憶部）に予め組み込んで提供するものとするが、これに限らず、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記憶媒体は、コンピュータ或いは組み込みシステムと独立した媒体に限らず、ＬＡＮやインターネット等により伝達されたプログラムをダウンロードして記憶又は一時記憶した記憶媒体も含まれる。
【００７３】
また、上記実施形態の各装置で実行されるプログラムをインターネット等のネットワークに接続されたコンピュータ上に格納し、ネットワーク経由でダウンロードさせることにより提供するように構成してもよく、インターネット等のネットワーク経由で提供又は配布するように構成してもよい。
【符号の説明】
【００７４】
２０    薬剤登録装置
３１    ＭＰＵ
３１１  読取手段
３１３  選択手段
３１４  登録手段
ＤＢ２  プリセット薬剤マスタ
Ｇ５    プリセット画面
Ｍ１    プリセットアイコン
Ｍ２    枠線
Ｍ３    薬剤セットチェック欄
Ｍ４    薬剤チェック欄
Ｍ５    プリセット承認欄
Ｄ      使用品伝票
【先行技術文献】
【特許文献】
【００７５】
【特許文献１】特開２００２−１６３３５７号公報
【図１】
2015149003.tif 000003
【図２】
2015149003.tif 000004
【図３】
2015149003.tif 000005
【図４】
2015149003.tif 000006
【図５】
2015149003.tif 000007
【図６】
2015149003.tif 000008
【図７】
2015149003.tif 000009
【図８】
2015149003.tif 000010
【図９】
2015149003.tif 000011
【図１０】
2015149003.tif 000012
【図１１】
2015149003.tif 000013
【図１２】
2015149003.tif 000014
【図１３】
2015149003.tif 000015